(57)【要約】【課題】  装飾体を枠体に回転自由に支持させることができ、長期間にわたって回転の摩擦抵抗を小さく保持できる吊下げ装身具を実現する。【解決手段】  装飾が施された装飾体１と、この装飾体を回転自由に支持する枠体２と、枠体の上部に取り付けられた吊り環３とを備え、枠体は吊下げ方向の上下部材８，９に装飾体の回転軸端の尖頭５ａをそれぞれ支承する円錐状の凹所の軸受１１を有し、装飾体の回転軸端の尖頭の円錐角を、枠体の軸受の円錐角よりも小さく形成することにより、回転の摩擦抵抗を小さくするとともに、軸受部に埃が詰まっても容易に取り除くことができるから、長期間にわたって回転の摩擦抵抗を小さく保持できる。【選択図】  図２
2007195858.tif 000002
【特許請求の範囲】
【請求項１】
装飾が施された装飾体と、該装飾体を回転自由に支持する枠体と、該枠体の上部に取り付けられた吊り環とを備え、前記枠体は、吊下げ方向の上下部材に前記装飾体の回転軸端をそれぞれ支承する円錐状の凹所を有し、前記装飾体は、前記回転軸端に前記枠体の凹所の円錐角よりも小さい円錐角を有する尖頭が形成されてなる吊下げ装身具。
【請求項２】
請求項1に記載の吊下げ装身具において、
前記装飾体は、回転軸周りの重量分布が不均一に形成されてなることを特徴とする吊下げ装身具。
【請求項３】
請求項1又は２に記載の吊下げ装身具において、
前記装飾体は、前記回転軸端が両端に形成された軸体と、該軸体の周りにらせん状に巻き付けられた装飾本体とを有してなることを特徴とする吊下げ装身具。
【請求項４】
請求項1又は２に記載の吊下げ装身具において、
前記装飾体は、前記枠体の凹所に支承される前記回転軸端を有する上下一対の回転部材と、該一対の回転部材に渡して設けられた複数の柱状部材と、該複数の柱状部材に挟持された宝石又は擬似宝石を有してなることを特徴とする吊下げ装身具。
【発明の詳細な説明】
【技術分野】
【０００１】
本発明は、吊下げ装身具に係り、具体的には、ペンダントヘッド、イアリング、携帯ストラップなどに用いることができる吊下げ装身具に関する。
【背景技術】
【０００２】
一般に、装身具には、宝石又は擬似宝石により装飾が施された装飾体、あるいは金属等の表面に刻み模様などの装飾が施された装飾体が用いられている。これらの装飾体は、見る角度によって光の反射が変化して美しく感じることが知られている。特に、イアリングやペンダントヘッド等の吊下げ装身具は、通常、装着した人の動きによって装飾体が動いて光の反射が変化することから一層美感が増す。
【０００３】
従来、このようなペンダントにおいて、使用中の体の動きがあっても捩れることなく、宝石などの装飾片が微妙に揺動して、美しく輝くように工夫したものが提案されている（例えば、特許文献1）。
【０００４】
【特許文献１】特開２００５−３１９３２４号公報
【発明の開示】
【発明が解決しようとする課題】
【０００５】
ところが、従来、ペンダント等の吊下げ装身具においては、装飾が施された装飾体を回転させるようにして、美感を増すことについては考慮されていない。
【０００６】
すなわち、装飾が施された装飾体を枠体に回転自由に支持させれば、装着した人の動きによって装飾体が回転して、美感を一層向上させることができる。そこで、例えば、装飾体をベアリングを介して枠体に支持させて、装飾体を自由に回転させるようにすることが考えられる。
【０００７】
しかし、装身具に用いるベアリングは、極めて小さく形成する必要があるだけでなく、埃などがベアリングに詰まると除去しにくいことから、長い間に摩擦抵抗が増大して、スムースに回転しなくなるおそれがある。
【０００８】
本発明の課題は、装飾体を枠体に回転自由に支持させることができ、長期間にわたって回転の摩擦抵抗を小さく保持できる吊下げ装身具を実現することにある。
【課題を解決するための手段】
【０００９】
上記課題を解決するため、本発明の吊下げ装身具は、装飾が施された装飾体と、該装飾体を回転自由に支持する枠体と、該枠体の上部に取り付けられた吊り環とを備え、前記枠体は、吊下げ方向の上下部材に前記装飾体の回転軸端をそれぞれ支承する円錐状の凹所を有し、前記装飾体は、前記回転軸端に前記枠体の凹所の円錐角よりも小さい円錐角を有する尖頭が形成されてなることを特徴とする。
【００１０】
すなわち、枠体の上下の部材に円錐状の凹所を形成し、その凹所に装飾体の回転軸端の尖頭を支承させる構成としたことから、ベアリングを介して装飾体を枠体に支持させる場合に比べて、回転の摩擦抵抗を小さくすることができる。つまり、ベアリングの場合は、リング状の内側レーサと外側レーサの間に複数の鋼球を装着した構造であるから、鋼球とレーサとの接触面積が多く摩擦抵抗が大きいが、本発明によれば、軸受の接触面積を十分に小さくできるから、摩擦抵抗を十分に小さくできる。また、凹所と尖頭が接する簡単な軸受であるから、埃が詰まりにくく、詰まっても容易に取り除くことができるから、長期間にわたって回転の摩擦抵抗を小さく保持できる。
【００１１】
また、本発明は、装飾体の回転軸周りの重量分布を不均一に形成することが好ましい。これによれば、吊下げ装身具の揺れにより、不均一な重量分布に起因して、装飾体が回転力（遠心力）を受けて自然に回転するから、美感を向上できる。
【００１２】
本発明の装飾体は、回転軸端が両端に形成された軸体と、該軸体の周りにらせん状に巻き付けられた装飾本体とを有して構成することができる。また、枠体の凹所に支承される回転軸端を有する上下一対の回転部材と、該一対の回転部材に渡して設けられた複数の柱状部材と、該複数の柱状部材に挟持された宝石又は擬似宝石を有して構成することができる。
【００１３】
さらに、本発明の吊下げ装身具は、枠体に装飾を施した装飾枠体を用いることができる。
【発明の効果】
【００１４】
本発明の吊下げ装身具によれば、装飾体を枠体に回転自由に支持させることができ、長期間にわたって回転の摩擦抵抗を小さく保持できる。
【発明を実施するための最良の形態】
【００１５】
以下、本発明を実施例に基づいて説明する。
【実施例１】
【００１６】
図１〜図３に、本発明の吊下げ装身具の一実施例のペンダントヘッドを示す。図１（Ｂ）はペンダントヘッドの正面図、同図（Ａ）は上面図である。図２は、装飾体を取り除いた状態のペンダントヘッドの断面を示す図、図３は軸受の拡大図である。
【００１７】
図１に示すように、本実施例のペンダントヘッドは、装飾が施された装飾体１と、装飾体１を回転自由に支持する枠体２と、枠体２の上部に取り付けられた吊り環３を備えて構成されている。装飾体１は、軸体５の両端部に円盤状の重り部材６、７が固定され、重り部材６，７にらせん状の装飾本体４が固定されている。枠体２は、吊下げ方向の上下に配置された円形カップ状の支持部材８，９を有し、これらの支持部材８，９を周方向に離して配置された３つの柱状部材１０で連結して形成されている。また、図示していないが、装飾本体４と柱状部材１０の外表面には、宝石又は擬似宝石などの装飾が施されている。
【００１８】
図２に示すように、軸体５の両軸端には円錐状の尖頭５ａが形成されている。また、軸体５の両端部に固定された重り部材６、７は、円盤の厚みを周方向に異ならせて、回転軸周りの重量分布が不均一になるように形成されている。なお、図２には表していないが、重り部材６、７の外周部に、らせん状の装飾本体４が固定されている。一方、枠体２の上部の支持部材８は、中空の円形カップ状に形成された装飾部材８ａの内部に円盤状の支持部材８ｂを装着して形成されている。装飾部材８ａは、図１（Ａ）に示すように、放射状の装飾を施して形成されている。また、上部の円盤状の支持部材８ｂの内側の中心に、軸受１１となる凹所が形成されている。下部の支持部材９は、中空の円形カップ状に形成され、カップ状の底面の中心に軸受１１となる凹所が形成されている。これらの軸受１１は、図３に示すように、凹所の内面が円錐状に形成され、これらの軸受１１に軸体５の両軸端の尖頭５ａを支承するようになっている。特に、尖頭５ａの円錐角は軸受１１の円錐角よりも小さい角度に形成されている。
【００１９】
このように構成されることから、装飾体１は、枠体２内で自由に回転し、装飾体１に施された装飾から反射する光が変化するので、美観を向上させることができる。特に、装飾体１を枠体２に回転自由に支承する軸受部を、枠体２に形成された円錐状の凹所の軸受１１に、回転軸端に形成した尖頭５ａを支承させる構成としたことから、ベアリングを介して装飾体１を枠体２に支持させる場合に比べて、軸受の接触面積を十分に小さくできる。そのため、軸受部の摩擦抵抗を十分に小さくできるから、装飾体１は枠体２内でスムースに回転し、美観が向上される。また、凹所と尖頭が接する簡単な軸受であるから、埃が詰まりにくく、詰まっても容易に取り除くことができるから、長期間にわたって回転の摩擦抵抗を小さく保持できる。
【００２０】
さらに、本実施例によれば、装飾体１の回転軸周りの重量分布が不均一に形成されているから、吊下げ装身具が揺れたときに、装飾体１に回転力（遠心力）が作用して自然に回転する。また、本実施例の装飾体１は、軸体５の周りにらせん状に巻き付けられた装飾本体であるから、装飾体１の回転により装飾本体が軸方向に動くように見え、美観が一層向上する。
【実施例２】
【００２１】
図４、図５に、本発明の吊下げ装身具の他の実施例のペンダントヘッドを示す。図４はペンダントヘッドの枠体２２を示し、同図（Ａ）は上面図、同図（Ｂ）はペンダントヘッドの正面図である。図５は、枠体２２内に回転自由に装着される装飾体２１を示し、同図（Ａ）は上面図、同図（Ｂ）は正面図である。
【００２２】
図５に示すように、装飾体２１は、一対の円盤状の重り部材２６、２７が対向して配置され、これらの支持部材２６，２７を３つの柱状部材３０で連結し、それらの柱状部材３０の間に複数の宝石４０を挟持して形成されている。重り部材２６、２７の中心軸に合わせて一対の軸体２５が埋め込まれ、軸体２５の軸端には円錐状の尖頭２５ａが形成されている。重り部材２６、２７は、円盤の厚みを周方向に異ならせて、回転軸周りの重量分布が不均一になるように形成されている。
【００２３】
一方、枠体２２の上部の支持部材２８は、中空の円形カップ状に形成され、兆部に吊り環２３が取り付けられている。また、上部の円盤状の支持部材２８の内側の中心に、軸受３１となる凹所が形成されている。同様に、下部の支持部材２９は、中空の円形カップ状に形成され、カップ状の底面の中心に軸受３１となる凹所が形成されている。これらの軸受３１は、実施例１と同様に、凹所の内面が円錐状に形成され、これらの軸受３１に軸体２５の両軸端の尖頭２５ａを支承するようになっている。特に、尖頭２５ａの円錐角は軸受３１の円錐角よりも小さい角度に形成されている。また、一対の円盤状の重り部材２６、２７は、３つの柱状部材３２で連結されている。
【００２４】
このように構成されることから、本実施例の装飾体２１は、枠体２２内で自由に回転し、装飾体２１に取り付けられた宝石４０から反射する光が変化するので、美観を向上させることができる。特に、装飾体２１を枠体２２に回転自由に支承する軸受部を、枠体２２に形成された円錐状の凹所の軸受３１に、回転軸端に形成した尖頭２５ａを支承させる構成としたことから、ベアリングを介して装飾体２１を枠体２２に支持させる場合に比べて、軸受の接触面積を十分に小さくできる。そのため、軸受部の摩擦抵抗を十分に小さくできるから、装飾体２１は枠体２２内でスムースに回転し、美観が向上される。また、凹所と尖頭が接する簡単な軸受であるから、埃が詰まりにくく、詰まっても容易に取り除くことができるから、長期間にわたって回転の摩擦抵抗を小さく保持できる。
【００２５】
さらに、本実施例によれば、装飾体２１の回転軸周りの重量分布が不均一に形成されているから、吊下げ装身具が揺れたときに、装飾体２１に回転力（遠心力）が作用して自然に回転する。また、本実施例によれば、比較的大きな宝石４０によって装飾を施すことができる。
【００２６】
以上本発明の吊下げ装身具を、ペンダントヘッドに適用した実施例を説明したが、本発明はこれに限らず、イヤリングや携帯電話などのストラップ等に用いても同様の効果を奏することができる。
【図面の簡単な説明】
【００２７】
【図１】本発明の吊下げ装身具の一実施例のペンダントヘッドを示し、同（Ｂ）はペンダントヘッドの正面図、同図（Ａ）は上面図である。
【図２】図１の実施例の装飾体を取り除いた状態のペンダントヘッドの断面である。
【図３】軸受部の拡大図である。
【図４】本発明の吊下げ装身具の他の実施例のペンダントヘッドの枠体を示し、同図（Ａ）は上面図、同図（Ｂ）はペンダントヘッドの正面図である。
【図５】図４の実施例の枠体内に回転自由に装着される装飾体を示し、同図（Ａ）は上面図、同図（Ｂ）は正面図である。
【符号の説明】
【００２８】
１、２１  装飾体
２、２２  枠体
３、２３  吊り環
４  装飾本体
５、２５  軸体
５ａ、２５ａ  尖頭
６、２６  重り部材
７、２７  重り部材
８、２８  支持部材
９、２９  支持部材
１０、３０、３２  柱状部材
１１、３１  軸受
【図１】
2007195858.tif 000003
【図２】
2007195858.tif 000004
【図３】
2007195858.tif 000005
【図４】
2007195858.tif 000006
【図５】
2007195858.tif 000007